(57)【要約】      （修正有）【課題】埋め込み孔の軸方向寸法の大小如何を問わず、強い支持力で埋め込み設置状態を保持して、埋め込み設置状態の安定性を高めることが可能な照明装置を提供する。【解決手段】照明装置１は、光源ユニットから放射される光が透過する透過口を備えて該光源ユニットを通電可能に格納した装置本体３と、この装置本体３に取り付けられるとともに、被取付部９の埋め込み孔１０への装置本体３の埋め込みに追従して該埋め込み孔１０の内面に弾性拡径により圧接する四つの弾性圧接片４ｂを設けた装置本体保持部材４とを備えている。【選択図】図４
0003162951.tif 000002
【実用新案登録請求の範囲】
【請求項１】
光源ユニットから放射される光が透過する透過口を備えて該光源ユニットを通電可能に格納した装置本体と、この装置本体に取り付けられるとともに、被取付部の埋め込み孔への装置本体の埋め込みに追従して該埋め込み孔の内面に弾性拡径により圧接する少なくとも四つの弾性圧接片を設けた装置本体保持部材と、を備えていることを特徴とする照明装置。
【請求項２】
請求項１に記載の照明装置において
前記装置本体保持部材が、ステンレス鋼板製の円板からなる本体部と、この本体部の外周縁に円周方向等間隔で連設されて該本体部の径外方向に断面略Ｕ字状に張り出す四つの弾性圧接片とを備えてなる照明装置。
【請求項３】
請求項２に記載の照明装置において
前記弾性圧接片の先端部が基端方向にやや彎曲して形成されている照明装置。
【請求項４】
請求項１乃至請求項３のいずれか１項に記載の照明装置において
前記装置本体は、下面に光源ユニットを装着したキャップ体と、前記透過口を備えてキャップ体に着脱可能に結合されるカバー体とからなり、前記装置本体保持部材が締結部材により着脱可能にキャップ体の上面に締結されている照明装置。
【請求項５】
請求項１乃至請求項３のいずれか１項に記載の照明装置において
前記装置本体は、下面に光源ユニットを装着したキャップ体と、前記透過口を備えてキャップ体に着脱可能に結合されるカバー体とからなり、前記装置本体保持部材が環状に形成されてキャップ体とカバー体との間に挟着されて装置本体に固定されている照明装置。
【請求項６】
請求項１乃至請求項５のいずれか１項に記載の照明装置において
前記光源ユニットは、ＬＥＤ素子が実装されたＬＥＤ実装基板と、商用交流電源を受けて所定の直流電圧をＬＥＤ素子に出力する直流電源回路と、を備えてなる照明装置。
【考案の詳細な説明】
【技術分野】
【０００１】
本考案は、照明装置に係り、より詳しくは、屋内の天井やクローゼットのような収納ボックス類の天井、あるいはキッチンユニットにおける上部キャビネットの底板などの被取付部に設けた埋め込み孔に埋め込み設置されるダウンライトとして好適な照明装置に関するものである。
【背景技術】
【０００２】
従来、屋内の天井やクローゼットのような収納ボックス類の天井、あるいはキッチンユニットにおける上部キャビネットの底板などの被取付部に設けた埋め込み孔に埋め込み設置されるダウンライトとして機能する照明装置の一例として、（特許文献１）に記載のものがある。
【０００３】
特許文献１に記載の照明装置を図８，図９に示す。これらの図において、照明装置５０は、装置本体５１と、光源５２と、反射体５３と、バッフル５４と、透光板５５と、電源装置５６と、端子台５７と、一対の取付けばね５８を備えている。
【０００４】
装置本体５１は、アルミニウムの一体成形品からなる本体主部５９と鋼板製の天板６０とを備え、本体主部５９は、底壁６１と、下部環状側壁６２と、上側の環状側壁６３を備え、天板６０は、水平状の閉塞板部６０ａと、この閉塞板部６０ａの一側縁中央部から略垂直に折り曲げられたカバー板部６０ｂとからなる。また、光源５２は、光源基板５２ａと、この光源基板５２ａに実装された複数のＬＥＤ素子５２ｂとを備え、光源基板５２ａにおけるＬＥＤ素子５２ｂが実装されていない裏面を前記底壁６１の下面に密に面接触して配置されており、ＬＥＤ素子５２ｂが発した光の配光は反射体５３によって制御される。
【０００５】
反射体５３は、光源５２の下側に配置され、この配置において、反射体５３は。下部環状側壁６２の位置決め突起６２ｂと係合して位置決めされる。そして、下端が開放された反射鏡部６６をＬＥＤ素子５２ｂと同数有しているとともに、ねじ受けボス６７を有し、底壁６１および光源基板５２ａの中心部を通ってねじ受けボス６７にねじ込まれた取付けねじ６８によって固定されており、この固定に伴って、反射体５３の周部が光源基板５２ａの周部を底壁６１との間に挟持している。これにより、光源基板５２ａの裏面が底壁６１の下面に面接触した状態に固定される。
【０００６】
バッフル５４は、白色の合成樹脂からなり、上下両端がそれぞれ開口した円筒状のもので、上端の直径は下部環状側壁６２の直径と略同じであるとともに、その内径は下端開口に向かうほど次第に大きく形成されており、下端部には径外方向に張り出すフランジ部５４ａを有し、該フランジ部５４ａは、装置本体５１が天井６９の埋め込み孔７０に埋め込み設置された状態で、該埋め込み孔７０の周縁部に下側から引っ掛かる。
【０００７】
バッフル５４は、下部環状側壁６２の下側に配置されて、上端部にねじ込まれた連結ネジ７１により装置本体５１の下端に連結されている。このバッフル５４の内側に透明アクリル樹脂板などからなる透光板５５が支持されている。該透光板５５は、装置本体５１へのバッフル５４のねじ止めに伴い、バッフル５４の上端部と反射体５３の周部下面との間に挟持される。
【０００８】
電源装置５６は、電源基板５６ａに複数の電気部品５６ｂを実装して形成され、天板６０の裏面に支持されている。端子台５７は、電源装置５６に商用交流電源の供給を中継するために用いる。該端子台５７は装置本体５１の外面に配置され、この端子台５７の下面から引き出された絶縁被覆電線（図示省略）は電源装置５６に接続される。
【０００９】
バッフル５４の外面には、装置本体５１の二つの壁部の真下に位置して一対のばね取付部７２が形成され、これらばね取付部７２には、金属製の板ばねからなる取付けばね５８の下端部が取付けられている。これら一対の取付けばね５８は、折れ曲がった自由端部５８ａを有し、図１０において実線で示すように、装置本体５１に対して斜めに配置される自由位置と、二点鎖線で示すように、装置本体５１の側面に沿うように移動可能であり、一対の取付けばね５８を立てた場合に、それらの自由端部５８ａ間の距離Ａは、図９の埋め込み孔７０の内径以下となっている。
【００１０】
前記構成の照明装置１は、一対の取付けばね５８を弾性変形させて図１０の二点鎖線で示すように位置させた状態で、図９の埋め込み孔７０に挿入して、バッフル５４のフランジ部５４ａが天井６９に当たるまで押し上げることによって、天井６９に埋め込み設置することができる。この場合、照明装置１が押し上げられるに伴い、一対の取付けばね５８が次第に斜めに復元するので、これら取付けばね５８の根元部とフランジ部５４ａとが、埋め込み孔７０の縁を挟持することによって、照明装置１の埋め込み設置状態を保持している。
【先行技術文献】
【特許文献】
【００１１】
【特許文献１】特開２０１０−１６００３号公報
【考案の概要】
【考案が解決しようとする課題】
【００１２】
前記特許文献１に記載されている照明装置１の埋め込み設置状態は、一対の取付けばね５８の弾性復元力による２点支持で保持されているので、埋め込み設置状態が不安定である。しかも、照明装置１が板厚の薄い天井６９の埋め込み孔７０に埋め込み設置される場合、つまり、軸方向寸法が比較的小さいに埋め込み孔７０に埋め込み設置される場合には、モーメントの小さい根元部によって２点支持されることになるので、強い支持力によって照明装置１の埋め込み設置状態を保持することが期待できない。そのため、埋め込み設置状態の不安定を助長することになる問題点を有している。
【００１３】
本考案は上記の実情に鑑みてなされたものであって、埋め込み孔の軸方向寸法の大小如何を問わず、強い支持力で埋め込み設置状態を保持して、埋め込み設置状態の安定性を高めることが可能な照明装置の提供を目的とするものである。
【課題を解決するための手段】
【００１４】
前記目的を達成するために、本考案に係る照明装置は、光源ユニットから放射される光が透過する透過口を備えて該光源ユニットを通電可能に格納した装置本体と、この装置本体に取り付けられるとともに、被取付部の埋め込み孔への装置本体の埋め込みに追従して該埋め込み孔の内面に弾性拡径により圧接する少なくとも四つの弾性圧接片を設けた装置本体保持部材と、を備えていることを特徴としている。
【００１５】
前記構成によると、装置本体保持部材に設けた少なくとも四つの弾性圧接片の弾性拡径により、これら少なくとも四つの弾性圧接片が被取付部の埋め込み孔の内面に圧接する少なくとも４点支持によって照明装置の埋め込み設置状態を安定して保持することができるとともに、各弾性圧接片は、それぞれの弾性拡径により被取付部の埋め込み孔の内面に圧接するので、埋め込み孔の軸方向寸法の大小如何を問わず、強い支持力で照明装置の埋め込み設置状態を保持して、埋め込み設置状態の安定性を高めることができる。
【００１６】
また、前記照明装置の装置本体保持部材は、ステンレス鋼板製の円板からなる本体部と、この本体部の外周縁に円周方向等間隔で連設されて該本体部の径外方向に断面略Ｕ字状に張り出す四つの弾性圧接片とを備えている構成としてもよい。
前記構成によると、四つの弾性圧接片は、それぞれの弾性拡径により被取付部の埋め込み孔の内面に略直交した状態で圧接するので、埋め込み孔の軸方向寸法が大きくても、あるいは小さくても、つまり、埋め込み孔の軸方向寸法の大小如何を問わず、強い支持力で照明装置の埋め込み設置状態を保持して、埋め込み設置状態の安定性を高めることができる。
【００１７】
また、前記弾性圧接片の先端部を基端方向にやや彎曲して形成してもよい。各弾性圧接片の先端部が基端方向にやや彎曲して形成した場合、埋め込み孔１０の軸方向寸法が小さくても、照明装置１の埋め込みを容易且つスムーズに行うことができる。
【００１８】
そして、本考案に係る照明装置は、前記装置本体が、下面に光源ユニットを装着したキャップ体と、前記透過口を備えてキャップ体に着脱可能に結合されるカバー体とからなり、前記装置本体保持部材が締結部材により着脱可能にキャップ体の上面に締結されている。これによれば、キャップ体と、カバー体および装置本体保持部材の三者の分解・組立が可能であることにより、照明装置の保守・点検などを容易行うことができる。しかも、装置本体保持部材の中心から自由状態の少なくとも四つの弾性圧接片までの距離が、被取付部の埋め込み孔の半径よりも所定値を超えて大きいか、あるいは各弾性圧接片の弾性が大きく、したがって、被取付部の埋め込み孔への装置本体の埋め込みに追従して該埋め込み孔の内面に少なくとも四つの弾性圧接片を弾性拡径により圧接させることが困難な場合には、キャップ体の上面から装置本体保持部材を取り外し、この取り外した装置本体保持部材を被取付部の埋め込み孔に対して装置本体の埋め込み方向（順方向）の反対側から埋め込んで位置決めしたのち、装置本体を前記順方向から埋め込み孔に埋め込んで、締結部材によりキャップ体の上面に装置本体保持部材を締結することによって、強い支持力で照明装置の埋め込み設置状態を保持することも可能である。
【００１９】
さらに、本考案に係る照明装置は、前記装置本体が、下面に光源ユニットを装着したキャップ体と、前記透過口を備えてキャップ体に着脱可能に結合されるカバー体とからなり、前記装置本体保持部材が環状に形成されてキャップ体とカバー体との間に挟着されることで装置本体に固定されている。これによれば、キャップ体と、カバー体および装置本体保持部材の三者の分解・組立が可能であることにより、照明装置の保守・点検などを容易行うことができる。また、締結部材が不要になることで、部品点数が削減された簡素化された構造でありながら、強い支持力で照明装置の埋め込み設置状態を保持することが可能である。
【００２０】
また、本考案に係る照明装置は、前記光源ユニットが、ＬＥＤ素子が実装されたＬＥＤ実装基板と、商用交流電源を受けて所定の直流電圧をＬＥＤ素子に出力する直流電源回路と、を備えている。これによれば、白熱灯や電球形蛍光灯などを備えた光源ユニットと比較して、消費電力の削減によって省エネを達成し、かつ耐久性が向上することで延命を達成できる。
【考案の効果】
【００２１】
本考案に係る照明装置によれば、装置本体保持部材に設けた少なくとも四つの弾性圧接片の弾性拡径により、これら少なくとも四つの弾性圧接片が被取付部の埋め込み孔の内面に圧接する少なくとも４点支持によって照明装置の埋め込み設置状態を安定して保持することができる。また、各弾性圧接片は、それぞれの弾性拡径により被取付部の埋め込み孔の内面に圧接するので、埋め込み孔の軸方向寸法の大小如何を問わず、強い支持力で埋め込み設置状態を保持して、埋め込み設置状態の安定性を高めることができる。
【図面の簡単な説明】
【００２２】
【図１】本考案に係る照明装置の第１実施形態を分解して示す斜視図である。
【図２】キャップ体の拡大下面図である。
【図３】図１の照明装置の組立状態を拡大して示す半截断面図である。
【図４】埋め込み孔への埋め込み設置状態を拡大して示す正面図である。
【図５】締結部材を省略した照明装置の上面図である。
【図６】埋め込み設置手順の他の例の説明図であり、図６（ａ）は埋め込み孔に装置本体保持部材を矢印Ｙ１方向から埋め込んだ第１手順を示し、図６（ｂ）は埋め込み孔に装置本体を矢印Ｙ２方向から埋め込んだ第２手順を示し、図６（ｃ）は締結部材により装置本体保持部材を装置本体に締結した最終手順を示す説明図である。
【図７】本考案に係る照明装置の第２実施形態の組立状態の一部を省略し拡大して示す半截断面図である。
【図８】従来例の斜視図である。
【図９】従来例の縦断面図である。
【図１０】従来例の側面図である。
【考案を実施するための形態】
【実施例】
【００２３】
以下、本考案に係る照明装置の好ましい実施形態を図面に基づいて説明する。図１は本考案に係る照明装置の第１実施形態を分解して示す斜視図、図２はキャップ体の下面図、図３は図１の照明装置の組立状態を拡大して示す半截断面図、図４は埋め込み孔への埋め込み設置状態を拡大して示す正面図、図５は図３の締結部材を省略した照明装置の上面図である。
【００２４】
図１〜図５において、照明装置１は、光源ユニット２と、該光源ユニット２を通電可能に格納した装置本体３と、この装置本体３に取り付けられた装置本体保持部材４とを備える。
【００２５】
光源ユニット２は、ＬＥＤ素子２ａが実装されたＬＥＤ実装基板２ｂと、商用交流電源を一対のリード端子２ｃから受けて所定の直流電圧をＬＥＤ素子２ａに出力する直流電源回路２ｄとを備える。
【００２６】
装置本体３は、キャップ体５と、該キャップ体５に螺着により着脱可能に結合されるカバー体６とを備える。
【００２７】
キャップ体５は、アルミ系金属からなる下向きの円形皿状のもので、上端部近傍の水平な天板５ａと、この天板５ａの外周を取り囲んで径外方向に張り出すフランジ部５ｂと、フランジ部５ｂの下面から下向きに少しのび、かつ該フランジ部５ｂよりも小径の周壁５ｃとを備え、周壁５ｃの外周に雄ねじ５ｄを設けてある。また、フランジ部５ｂには、その中心を挟んで互いに対向する位置に一対のねじ孔５ｅが鉛直軸線を有して設けられ、天板５ａの下面に光源ユニット２のＬＥＤ実装基板２ｂが電気的絶縁体（図示省略）を介して装着され、かつ一対のリード端子２ｃは天板５ａに設けた一対のリード端子導出孔５ｆから上向きに導出される。
【００２８】
カバー体６は、アルミ系金属からなる環状のもので、光源ユニット２から放射される光が透過する透過口６ａと、この透過口６ａの外周を取り囲んで径外方向に張り出すフランジ部６ｂと、該フランジ部６ｂの径内位置の上面から上向きに少しのび、かつ透過口６ａよりも大径の周壁６ｃとを備え、周壁６ｃの内周には、キャップ体５の雄ねじ５ｄに螺合可能な雌ねじ６ｄを設けてある。したがって、キャップ体５の雄ねじ５ｄとカバー体６の雌ねじ６ｄとを螺着することにより、キャップ体５とカバー体６とが螺着により着脱可能に結合された装置本体３が構成される。
【００２９】
カバー体６の透過口６ａには、その上側から透光レンズ７が着脱可能に嵌合されて組み付けられる。透光レンズ７は、透明または半透明の樹脂製のもので、その上端部の外周面７ａは上向きに段階的に拡径する２段の段差面によって構成されている。また、カバー体６の透過口６ａの内周面６ｅは、上向きに段階的に拡径する２段の段差面によって構成されている。したがって、透過口６ａの上側に透光レンズ７を対向させて、該透光レンズ７を透過口６ａに向けて押し下げることで、透過口６ａの内周面６ｅに透光レンズ７の外周面７ａが嵌合した状態で、透光レンズ７が着脱可能にカバー体６の透過口６ａに組み付けられる。
【００３０】
装置本体保持部材４は、照明装置１を後述する被取付部の埋め込み孔に埋め込んだ埋め込み設置状態を保持するためのもので、プレス加工されたステンレス鋼板製の円板からなる本体部４ａと、この本体部４ａの外周縁に円周方向等間隔で連設されて該本体部４ａの径外方向に断面略Ｕ字状に張り出す四つの弾性圧接片４ｂとを備えているとともに、弾性圧接片４ｂの先端部は基端方向にやや彎曲して形成されている。また、本体部４ａの中央部に一つの長孔４ｃが貫通形成されるとともに、周縁部には前記キャップ体５の一対のねじ孔５ｅに対応する一対の透孔４ｄが貫通形成されている。そして、本体部４ａの中心から自由状態の各弾性圧接片４ｂまでの距離が、後述する被取付部の埋め込み孔の半径よりも僅かに大きい所定値に設定されている。
【００３１】
装置本体保持部材４は、キャップ体５の天板５ａに設けた一対のリード端子導出孔５ｆから上向きに導出されている一対のリード端子２ｃを長孔４ｃの下側から上側に引き出した状態で、その本体部４ａをキャップ体５のフランジ部５ｂの上面に載置して一対の透孔４ｄと一対のねじ孔５ｅとを連通させ、一対の透孔４ｄを介して一対のねじ孔５ｅに２本のビスからなる締結部材８を螺着することで、装置本体保持部材４が締結部材８により着脱可能にキャップ体５の上面に締結される。
【００３２】
図４および図５に示すように、照明装置１は、屋内の天井やクローゼットのような収納ボックス類の天井、あるいはキッチンユニットにおける上部キャビネットの底板などの被取付部９に設けた埋め込み孔１０の内面に四つの弾性圧接片４ｂを弾性拡径により圧接させた状態で埋め込み設置される。この埋め込み設置状態は、まず、自由状態の各弾性圧接片４ｂを弾性縮径させて、本体部４ａの中心から各弾性圧接片４ｂまでの距離を埋め込み孔１０の半径よりも少し小さい値に縮小し、この状態で埋め込み孔１０の下側から照明装置１を押し込んで、カバー体６のフランジ部６ｂの上面を被取付部９における埋め込み孔１０の外周部下面に当接させることによって得ることができる。
【００３３】
照明装置１の埋め込み設置状態で光源ユニット２のリード端子２ｃを図示していない商用交流電源に接続し、自動または手動によるスイッチング操作で光源ユニット２のＬＥＤ素子２ａを点灯することにより、ＬＥＤ素子２ａから放射される光は透光レンズ７を透して下向きに照射され、照明装置１がダウンライトとして機能する。
【００３４】
前記構成の照明装置１によれば、装置本体保持部材４に設けた四つの弾性圧接片４ｂの弾性拡径により、各弾性圧接片４ｂが被取付部９の埋め込み孔１０の内面に圧接する４点支持によって照明装置１の埋め込み設置状態を安定して保持することができるとともに、各弾性圧接片４ｂは、それぞれの弾性拡径により被取付部９の埋め込み孔１０の内面に略直交した状態で圧接するので、埋め込み孔１０の軸方向寸法が大きくても、あるいは小さくても、つまり、埋め込み孔１０の軸方向寸法の大小如何を問わず、強い支持力で照明装置１の埋め込み設置状態を保持して、埋め込み設置状態の安定性を高めることができる。
また、各弾性圧接片４ｂの先端部が基端方向にやや彎曲して形成されていることから、埋め込み孔１０の軸方向寸法が小さくても、照明装置１の埋め込みを容易且つスムーズに行うことができる。
【００３５】
また、照明装置１は、その装置本体３が、天板５ａの下面に光源ユニット２を装着したキャップ体５と、透過口６ａを備えてキャップ体５に着脱可能にねじ結合されるカバー体６とからなり、装置本体保持部材４が２本のビスからなる締結部材８により着脱可能にキャップ体５の上面に締結されていことにより、キャップ体５と、カバー体６および装置本体保持部材４の三者の分解・組立が可能である。そのため、照明装置１の保守・点検などを容易行うことができる。
【００３６】
一方、装置本体保持部材４における本体部４ａの中心から自由状態の四つの弾性圧接片４ｂまでの距離が、被取付部９の埋め込み孔１０の半径よりも所定値を超えて大きいか、あるいは各弾性圧接片４ｂの弾性が大きく、したがって、被取付部９の埋め込み孔１０への装置本体３の埋め込みに追従して該埋め込み孔１０の内面に四つの弾性圧接片４ｂを弾性拡径により圧接させることが困難な場合、つまり、自由状態の各弾性圧接片４ｂを一旦弾性縮径させて、本体部４ａの中心から各弾性圧接片４ｂまでの距離を埋め込み孔１０の半径よりも少し小さい値に縮小する操作が困難な場合には、まず、キャップ体５の上面から装置本体保持部材４を取り外し、取り外した装置本体保持部材４を、図６（ａ）に示すように、被取付部９の埋め込み孔１０に対して上側から押し下げ（矢印Ｙ１）て埋め込み位置決めしたのち、装置本体保持部材４が取り外されている装置本体３を、図６（ｂ）に示すように、埋め込み孔１０に対して下側から押し上げ（矢印Ｙ２）て埋め込み位置決めし、つぎに、図６（ｃ）に示すように、締結部材８によりキャップ体５の上面に装置本体保持部材４を締結することによって、強い支持力で照明装置１の埋め込み設置状態を保持することもできる。
【００３７】
図７は、本考案に係る照明装置１の第２実施形態の組立状態の一部（前記一対のリード端子２ｃ）を省略し拡大して示す半截断面図である。なお、前記第１実施形態の照明装置１と同一部分には、同一符号を付して重複する説明は省略する。
【００３８】
図７に示す第２実施形態の照明装置１は、装置本体保持部材４の本体部４ａを環状に形成し、この本体部４ａをキャップ体５とカバー体６との間に挟着して装置本体３に固定することによって、前記第１実施形態の照明装置１で使用していた締結部材８を不要にした構成としてある。このような構成であっても、前記第１実施形態と同様の作用・効果を奏する。また、締結部材８が不要になることで、部品点数が削減された簡素化された構造でありながら、強い支持力で照明装置１の埋め込み設置状態を保持することが可能である。
【００３９】
さらに、本考案に係る照明装置１は、光源ユニット２が、ＬＥＤ素子２ａが実装されたＬＥＤ実装基板２ｂと、商用交流電源を受けて所定の直流電圧をＬＥＤ素子２ａに出力する直流電源回路２ｄとを備えていることにより、白熱灯や電球形蛍光灯からなる光源ユニットと比較して、消費電力の削減によって省エネを達成し、かつ耐久性が向上することで延命を達成できる。
【００４０】
なお、前記各実施形態で説明した照明装置１は、装置本体保持部材４における本体部４ａの外周縁に、円周方向等間隔で連設されて該本体部４ａの径外方向に略Ｕ字状に張り出す四つの弾性圧接片４ｂが備わっている構成としているが、弾性圧接片４ｂの数量は五つ以上であってもよい。また、各弾性圧接片４ｂの幅寸法、高さ寸法および弾性の大きさなどは、照明装置１の大きさや被取付部９の埋め込み孔１０の内径の値に律して、適宜好適な値に設定すればよい。
【００４１】
また、前記各実施形態では、照明装置１を屋内の天井やクローゼットのような収納ボックス類の天井、あるいはキッチンユニットにおける上部キャビネットの底板などの被取付部９に設けた埋め込み孔１０に埋め込み設置することにより、ダウンライトとして機能させるように説明しているが、立面や床面などの被取付部に設けた埋め込み孔に埋め込み設置することも可能である。
【産業上の利用可能性】
【００４２】
屋内の天井やクローゼットのような収納ボックス類の天井、あるいはキッチンユニットにおける上部キャビネットの底板などの被取付部に設けた埋め込み孔に埋め込み設置すれば、ダウンライトとして好適である。
【符号の説明】
【００４３】
１  照明装置
２  光源ユニット
２ａ  ＬＥＤ素子
２ｂ  ＬＥＤ実装基板
２ｄ  直流電源回路
３  装置本体
４  装置本体保持部材
４ａ  本体部
４ｂ  弾性圧接片
５  キャップ体
６  カバー体
６ａ  透過口
８  締結部材
９  被取付部
１０  埋め込み孔
【図１】
0003162951.tif 000003
【図２】
0003162951.tif 000004
【図３】
0003162951.tif 000005
【図４】
0003162951.tif 000006
【図５】
0003162951.tif 000007
【図６】
0003162951.tif 000008
【図７】
0003162951.tif 000009
【図８】
0003162951.tif 000010
【図９】
0003162951.tif 000011
【図１０】
0003162951.tif 000012